(57)【特許請求の範囲】
【請求項１】
内燃機関の吸気弁または排気弁の弁軸又はその延長線の周囲に配置され、前記弁軸方向の端部に前記弁軸に対して傾斜した第１傾斜面を有する鉄心と、この鉄心に巻回されたコイルとを含む第１の電磁石、
前記第１の電磁石の前記第１傾斜面から、前記弁軸の方向に所定の空隙を設けて対向配置され、前記空隙に面する端部に前記弁軸に対して傾斜した第２傾斜面を有する鉄心と、この鉄心に巻回されたコイルとを含む第２の電磁石、
前記弁軸に固定されて前記第１傾斜面と前記第２傾斜面との間の前記空隙内に配置されるとともに、前記第１傾斜面および前記第２傾斜面に対向してこの第１、第２傾斜面の傾斜角とは異なる角度の傾斜面が形成された突起を有する円板状の可動鉄心、
前記第１、第２の電磁石のいずれにも給電されないとき、前記可動鉄心を前記第１、第２の電磁石の間の前記空隙のほぼ中間に保持する保持手段を備えるとともに、
前記可動鉄心の前記突起の傾斜した面と前記第１の電磁石の前記第１傾斜面との隙間、及び前記可動鉄心の前記突起の傾斜した面と前記第２の電磁石の前記第２傾斜面との隙間とは、ともに、前記弁軸の径方向外側に向かうほど大きくなるように形成したことを特徴とする弁の電磁駆動装置。
【請求項２】
前記可動鉄心の厚みは径方向外側に向かうほど薄く構成されていることを特徴とする請求項１に記載の弁の電磁駆動装置。
【発明の詳細な説明】
【０００１】
【発明の属する技術分野】
この発明は、内燃機関の吸・排気弁を電磁駆動により開閉する弁の電磁駆動装置の改良に関するものである。
【０００２】
【従来の技術】
内燃機関の吸・排気弁は一般にはクランクシャフトから駆動されるカムシャフトによって機械的に開閉制御されていたが、近年、燃費向上や有害排ガス低減の目的で、弁の開閉タイミングを様々にコントロールすることが要求されるようになり、よりタイミングの調整が行いやすい電磁駆動によつて弁を開閉制御するものが種々提案されている。
【０００３】
例えば、図７は特開平７−３２４６０９号公報に開示されたものと類似の構成の電磁駆動装置の断面を示し、９はこの内燃機関のシリンダヘッド、１００はシリンダヘッド９に設けられた吸・排気ポート、５は吸・排気ポート１００に設けられた開閉弁（以下単に弁という場合もある）で駆動軸（以下弁軸５ａと言う）を備えている。１０はシリンダヘッド９に設けられ開閉弁５の弁軸５ａが貫通した摺動軸受け部材、６は開閉弁５の弁軸５ａの他端に設けられた円板状の可動鉄心である。
１は開閉弁５の弁軸５ａを取り巻くように巻回された第１のコイル、２は開閉弁５の弁軸５ａが貫通するように、かつ、前記第１のコイル１を包み込むように設けられた二重円筒状の第１のコイル鉄心である。３は開閉弁５の弁軸５ａを取り巻くように巻回された第２のコイル、４は開閉弁５の弁軸５ａが貫通するように、かつ、第２のコイル３を包み込むように二重の円筒状に設けられた第２のコイル鉄心である。第１のコイル鉄心２は外筒２ａと内筒２ｂとを有し、第２のコイル鉄心４は外筒４ａと内筒４ｂとを有している。１０１は第１、第２のコイル鉄心２、４を収納するケース、１０２はケースの頭部である。
７は可動鉄心６と摺動軸受部材１０との間に装荷された第１スプリング、８は可動鉄心６とケースの頭部１０２との間に装荷された第２スプリングである。
【０００４】
次に動作について説明する。
弁軸５ａに連結固定された円板状可動鉄心６は、例えば第１コイル１が巻回された第１コイル鉄心２と、第２コイル３が巻回された第２コイル鉄心４との間の軸方向ギャップのほぼ中間に位置するよう、可動鉄心６の下側の第１スプリング７と、上側の第２スプリング８との付勢力のつりあいによって所定位置に保持されている。
【０００５】
これにより、この電磁駆動装置への非通電時、即ち、第１コイル１、第２コイル３の何れにも電流が供給されていない状態では、可動鉄心６は第１コイル鉄心２と第２コイル鉄心４のそれぞれの端部のほぼ中間位置に保持され、開閉弁５は半開の状態に保持される。
【０００６】
駆動力を発生する磁束についての説明のため図８に磁束の発生状態を示す。図中φは第１コイル鉄心２と可動鉄心６との間の磁束、φ’は第２コイル鉄心４と可動鉄心６との間の磁束、φｅは第１コイル鉄心２の内、外筒間の漏洩磁束、φ’ｅは第１コイル鉄心２の内・外筒間の漏洩磁束である。
【０００７】
第１コイル１に通電した際、コイル電流により第１コイル鉄心２とこれに対面する可動鉄心６の間に発生する磁束φにより、両者間に磁気吸引力が作用し、可動鉄心６は第１コイル１の側に吸引され、第１スプリング７の付勢力に抗して図の下方に動作することで開閉弁５の開度を増し、所定時間後に開弁状態となる。
【０００８】
第２コイル３に通電した際、コイル電流により第２コイル鉄心４とこれに対面する可動鉄心６間に発生する磁束φ’により、両者間に磁気吸引力が作用し、可動鉄心６は第２コイル３の側に吸引され、第２スプリング８の付勢力に抗して図の上方に動作することで開閉弁５の開度を減少させ、所定時間後に閉弁状態となる。
【０００９】
このような電磁駆動装置は内燃機関の上部に設置されて弁を駆動するという目的から、より小型でありながらより強い駆動力を要求されるので、同じ電流でも出来る限り大きい駆動力を発生できるようにする必要がある。そのためには有効磁束を増加させる必要があるが、有効磁束φは鉄心端面から垂直方向に発生する性質があるため、電磁力による吸引力は第１コイル鉄心２と可動鉄心６との対抗面、または第２コイル鉄心４と可動鉄心６との対抗面の表面積に左右される。しかし、この表面積を増加させるには両者の対抗面が可動鉄心６の軸心に対して直角に配置された従来構造では、鉄心（可動鉄心６、第１、第２コイル鉄心２、４）の外径を増加させる以外に方法がなく、そのような方法では電磁駆動装置が大型化してしまうという問題があった。
【００１０】
一方、小型化するために従来の構造のまま寸法比例的に小型化したと仮定すると、第１コイル鉄心２および第２コイル鉄心４の肉厚と径が小さくなるから、端面面積が減少し、有効磁束φ、φ’が減少して駆動力が低下する。
【００１１】
また、寸法比例的に小型化したのでは第１コイル鉄心２の外筒２ａの端部と内筒２ｂの端部との距離、あるいは第２コイル鉄心４の外筒４ａ端部と内筒４ｂの端部との距離が小さくなり、外筒・内筒間の漏洩磁束（φｅ、φ’ｅと言う）が増加し、その分、可動鉄心６を吸引するための有効磁束が減少することになり、結果的に吸引力の低下を招くという問題があった。
【００１２】
また、図９は弁軸５ａの傾きにより生じる問題について説明するための説明図である。図に示すように、弁軸５ａは摺動軸受け１０がいかに高精度に製作されていても、多少なりとも傾くことは避けられない。傾いた場合、可動鉄心６も傾いているから、例えば図のように可動鉄心６が第１のコイル鉄心２の側に吸引される場合を例に説明すると、外筒２ａと可動鉄心６との間の距離Ｂが、内筒２ｂと可動鉄心６との間の距離Ｃよりも小さくなる結果、外筒２ａ側の吸引力がより強くなり、傾きが助長される方向に力が働く。このため弁軸５ａと摺動軸受け１０との間の摩擦が大きくなってスムースな動きが出来なくなるという問題があった。
【００１３】
【発明が解決しようとする課題】
従来の弁電磁駆動装置は、以上のように構成されているので、駆動力を高めようとすると大型化してしまうという問題があった。
また、小型化しようとすると駆動力が低下するため、ほとんど小型化出来ないという問題点があった。
【００１４】
また、弁軸が傾いた場合、この傾きが助長されてスムースに動かなくなる力が働いてしまうという問題があった。
【００１５】
この発明は上記のような問題点を解消するためになされたもので、駆動力を低下させずにより小型化された電磁駆動装置を得ることを目的とする。
また、同じ大きさで、より駆動力を増大した電磁駆動装置を得ることを目的とする。また、弁軸の傾きがあっても助長されるような力が働かない電磁駆動装置を得ることを目的とする。
【００１６】
【課題を解決するための手段】
この発明による弁の電磁駆動装置は、  内燃機関の吸気弁または排気弁の弁軸又はその延長線の周囲に配置され、前記弁軸方向の端部に前記弁軸に対して傾斜した第１傾斜面を有する鉄心と、この鉄心に巻回されたコイルとを含む第１の電磁石、
前記第１の電磁石の前記第１傾斜面から、前記弁軸の方向に所定の空隙を設けて対向配置され、前記空隙に面する端部に前記弁軸に対して傾斜した第２傾斜面を有する鉄心と、この鉄心に巻回されたコイルとを含む第２の電磁石、
前記弁軸に固定されて前記第１傾斜面と前記第２傾斜面との間の前記空隙内に配置されるとともに、前記第１傾斜面および前記第２傾斜面に対向してこの第１、第２傾斜面の傾斜角とは異なる角度の傾斜面が形成された突起を有する円板状の可動鉄心、
前記第１、第２の電磁石のいずれにも給電されないとき、前記可動鉄心を前記第１、第２の電磁石の間の前記空隙のほぼ中間に保持する保持手段を備えるとともに、
前記可動鉄心の前記突起の傾斜した面と前記第１の電磁石の前記第１傾斜面との隙間、及び前記可動鉄心の前記突起の傾斜した面と前記第２の電磁石の前記第２傾斜面との隙間とは、ともに、前記弁軸の径方向外側に向かうほど大きくなるように形成したものである。
【００１７】
また、可動鉄心の厚みは径方向外側に向かうほど薄く構成されているものである。
【００１８】
【発明の実施の形態】
関連技術１．
この発明の関連技術１による弁の電磁駆動装置の構造断面図を図１に示す。図において従来と同じ又は相当部分には同符号を付してその詳細な説明を省略する。
１２は弁軸５ａまたはその延長線の周囲に配置され、軸方向端部に弁軸５ａに対して傾斜した面を有する第１の鉄心で、第１の外筒１２ａと第１の内筒１２ｂ（これらは一端で磁気回路的に接続されている）で構成されている。１は開閉弁５の弁軸５ａまたはその延長線の周囲に第１の鉄心１２に巻回された第１のコイルであり、第１の鉄心１２と第１のコイル１は第１の電磁石１１２を構成している。１４は弁軸５ａまたはその延長線の周囲に、第１の電磁石とのあいだに軸方向に所定の空隙を設けて対向配置され、空隙に面する軸方向端部に弁軸５ａに対して傾斜した面を有する第２の鉄心で、第２の外筒１４ａと第２の内筒１４ｂ（これらは一端で磁気回路的に接続されている）で構成されている。３は開閉弁５の弁軸５ａを取り巻くように第２の鉄心１４に巻回された第２のコイルであり、第２の鉄心１４と第２のコイル３は第２の電磁石１１４を構成している。
、１０１はケース、１０２はケースの頭部である。
【００１９】
１６は開閉弁５の弁軸５ａの端に固定され、第１、第２の電磁石の傾斜した面に平行な傾斜面を持つ突起１６Ｘを両面に有する円板状の可動鉄心である。７は可動鉄心１６と摺動軸受部材１０との間に装荷された第１スプリング、８は可動鉄心１６とケースの頭部１０２との間に装荷された第２スプリングである。
可動鉄心１６の傾斜面１６ａは第１、第２の鉄心１２、１４の傾斜した面に平行するようにしてある。弁軸５ａに連結固定された円板状可動鉄心１６は、第１コイル１が巻回された第１の鉄心１２と、第２コイル３が巻回された第２の鉄心１４との間の軸方向空隙のほぼ中間に位置するよう、可動鉄心１６の下側の第１スプリング７と、上側の第２スプリング８とによって保持されている。
第１スプリング７と、第２スプリング８はこの発明に言う保持手段である。
【００２０】
第１、第２の鉄心１２、１４と可動鉄心１６の双方に対向して傾斜した面を設けることにより、実質的な電磁吸引面積を増加し得るため、総磁束φが増加し、駆動力が増加して弁の開閉速度が高くなるという効果が得られる。
第１、第２の鉄心１２、１４の端部の傾斜した面の傾斜角度は、何度であってもそれなりに効果はあるものの、対向する面の面積を大きくできるという点からはできるだけ大きい角度としたほうがよい。しかし、あまり大きくすると可動鉄心１６の対向する面の部分の板厚を十分とることが難しくなるなどの問題があるので、開閉弁５の軸方向に対して４５〜６０度程度とするのが好ましい。
【００２１】
図１のものでは、仮に駆動力がもとのままでよいなら駆動力が増加する分だけ、対向面積を減らすことが出来るので、可動鉄心１６や第１、第２の鉄心の外径を小さくすることもできる。
図２に関連技術１の弁の電磁駆動装置の吸引力特性を従来のものと比較した結果を示す。図に於いて、横軸は可動鉄心６の表面と第１の鉄心１２または第２の鉄心１４の端面との距離で吸着位置とは両者が接触した位置、中立位置とは可動鉄心１６が第１、第２の鉄心１２、１４の丁度中間にある場合を示す。縦軸は可動鉄心１６に働く吸引力を示す。２１は従来の（図７に示す）ものの特性、２２は傾斜面１６ａの角度を４５度にした場合、２３は同じく６０度の場合である。６０度の場合で最大約２０％の吸引力の増大が得られる。
【００２２】
図１では第１、第２の鉄心１２、１４の外筒１２ａ，１４ａと内筒１２ｂ，１４ｂの全てに傾斜面を設けたが、それなりの効果の減少を容認するならば、第１または第２の鉄心のいずれか一方だけにするとか、外筒、内筒のいずれか一方だけにするとか、あるいは傾斜した面と傾斜しない面を同時に設けるとか、組み合わせは自由に選択することが出来る。
この組み合わせについて具体的に示すと次のようになる。
１）外筒１２ａ，１４ａ、内筒１２ｂ，１４ｂの何れか一つの全面または一部と、可動鉄心１６上のこれに対向する部位に傾斜面を設けたもの。
２）外筒１２ａ、１４ａの端面の全て又は一部と、可動鉄心１６上のこれに対向する部位に傾斜面を設けたもの。
３）内筒１２ｂ、１４ｂの端面の全て又は一部と、可動鉄心１６上のこれに対向する部位に傾斜面を設けたもの。
４）上記２），３）を同時に実施したもの。
４）上記２），３）のそれぞれにおいて、第１の鉄心１２の側又は第２の鉄心１４の側のいずれか一方のみに傾斜面を設ける場合。
【００２３】
関連技術２．
関連技術２による電磁駆動装置の断面構造を図３に示す。
３６は可動鉄心である。３２は可動鉄心３６に対向する端面の角度が開閉弁５の弁軸の方向に対して傾斜した面を有する第１の鉄心で３２ａはその第１の外筒、３２ｂはその第１の内筒である。そして第１の外筒３２ａと第１の内筒３２ｂの端面の傾斜面の傾斜の方向は、関連技術１の図１のものと異なり、同じ方向（図３の場合外側が図の上方になる様な傾斜）に傾斜させてある。
【００２４】
３４は可動鉄心３６に対向する端面の角度が開閉弁５の弁軸の方向に対して傾斜した面を有する第２の鉄心で３４ａはその第２の外筒、３４ｂはその第２の内筒である。そして第２の外筒３４ａと第２の内筒３４ｂの端面の傾斜面（第２の傾斜端面）の傾斜の方向は、関連技術１の図１のものと異なり、同じ方向（図３の場合外側が図の上方になる様な傾斜）に傾斜させてある。
３６は第１、第２の鉄心３２、３４の端の傾斜した面に平行に対向する傾斜面３６ａを持つ突起３６Ｘを有する円板状の可動鉄心である。
【００２５】
第１、第２鉄心３２、３４と可動鉄心３６との双方に対向して傾斜面を設けることにより、実質的な電磁吸引面積を増加し得るため、総磁束φが増加し、駆動力が増加して弁の開閉速度が高くなるという効果が得られる点は関連技術１の図１のものと同じであるが、図３の可動鉄心３６はその形がより単純である、即ち、その板厚が関連技術１の図１の可動鉄心１６と比べて全体に均一であるため、プレス整形によって容易に製作できるという利点がある。
【００２６】
第１、第２の鉄心３２、３４の端部の傾斜面の傾斜角度については、関連技術１の場合と同様なので、詳細な説明は省略する。
【００２７】
以上の説明に於いて、内燃機関の吸・排気弁を駆動するとして説明したが、この発明の電磁駆動装置は、内燃機関用途に限定されるものではなく、気体圧縮ポンプなど弁を有する各種の機器の弁の駆動に利用でき、更に、配管の途中に用いるいわゆる電磁弁にも利用出来ることは言うまでもない。
【００２８】
関連技術３．
この発明による、関連技術３の電磁駆動装置の断面を図４に示す。４６は可動鉄心である。４２は可動鉄心４６に対向する端面の角度が開閉弁５の軸心の方向に対して直交する面と所定の角度で交差する傾斜面を有する第１の鉄心で４２ａはその第１の外筒、４２ｂはその第１の内筒である。そして外筒４２ａの端面は開閉弁５の軸心の方向に対して鉛直、内筒４２ｂの端面の一部のみが傾斜した傾斜端面としてある。
４４は可動鉄心４６に対向する端面の角度が開閉弁５の軸心の方向に対して直交する面と所定の角度で交差する傾斜端面を有する第２の鉄心で４４ａはその第２の外筒、４４ｂはその第２の内筒である。そして外筒４４ａの端面は軸方向に鉛直の面、内筒４４ｂの端面の一部のみが傾斜端面としてある。
４６は第１、第２のコイル鉄心４２、４４の端面（傾斜面と鉛直面）に平行に対向する面を持つ突起４６Ｘを有する円板状の可動鉄心である。
【００２９】
図４では傾斜端面を内筒４２ｂ，４４ｂの端部に設けたが、勿論、内筒の側でなくて、外筒４２ａ，４４ａの側に設けてもよい。
あるいは、端面の一部を傾斜端面とした面を外筒と内筒の両方に設けてもよい。このように端面の一部のみを傾斜端面としたので、傾斜端面の広さを適当に選定することにより、吸引力を必要な程度に設定することが可能となる。
【００３０】
実施の形態１．
この発明による、実施の形態１の電磁駆動装置の断面を図５に示す。５６は可動鉄心である。５２は可動鉄心５６に対向する端面の角度が開閉弁５の軸心の方向に直交する面と所定の角度で交差する傾斜面（第１傾斜面）を有する第１の鉄心で、５２ａはその第１の外筒、５２ｂはその第１の内筒である。そして外筒５２ａの端面は開閉弁５の軸心の方向に対して鉛直、内筒５２ｂの端面の一部のみが傾斜した面としてある。
【００３１】
５４は可動鉄心５６に対向する端面の角度が開閉弁５の軸心の方向に対して鉛直でない傾斜面（第２傾斜面）を有する第２の鉄心で、５４ａはその第２の外筒、５４ｂはその第２の内筒である。そして外筒５４ａの端面は軸方向に鉛直の面、内筒５４ｂの端面の一部のみが傾斜面としてある。
５６は第１、第２の鉄心５２、５４の端面（第１、第２傾斜面と鉛直面）の角度とは異なる角度の傾斜面を有する円板状の可動鉄心である。図の円形内は、説明のため拡大して示すもので、可動鉄心５６と第１、第２の鉄心５２、５４の端面とが接するときに出来るギャップは弁軸から外径外側方向に行くに従い広くなるようにお互いの傾斜角が構成されている。即ち、可動鉄心５６の厚みＴは、図に示すように、弁軸５ａに近い位置の厚みＴ１に対して、外側の厚みＴ２は、
Ｔ１＞Ｔ２      となるようにテーパ状に構成してある。
このように厚みが外に向かって薄くなるテーパを持たせた可動鉄心５６を持つ場合、弁軸５ａが傾いても（その厚みの変化幅内であれば）従来の図９で説明したような外側の力が内側より強くなるということがなく、弁軸５ａの動きはスムースである。また、可動鉄心を外周に向かって断面テーパ状にしたことから、可動鉄心５６と、第１、第２の鉄心５２、５４の端面とで構成される内側のギャップが、外側のギャップよりも狭くなることから、弁軸に遠い方の電磁吸引力が近い方の電磁吸引力より小さくなるため、弁軸を傾けようとする転覆モーメントを低減することが出来る。
【００３２】
関連技術４．
この発明による、関連技術５の電磁駆動装置の断面を図６に示す。６６は可動鉄心で弁軸５ａの周囲に円筒型の突出部６６Ｙを有している。
６２は内筒部軸方向長さが外筒部軸方向長さよりも短く設定され、可動鉄心６６の円筒型のガイド部に対向する内筒端面と、端面の角度が開閉弁５の軸心の方向に対して鉛直でない傾斜面を外筒端面に有する第１の鉄心で、６２ａはその外筒、６２ｂはその内筒である。
【００３３】
６４は内筒部軸方向長さが外筒部軸方向長さよりも短く設定され、可動鉄心６６の円筒型のガイド部に対向する内筒端面と、端面の角度が開閉弁５の軸心の方向に対して鉛直でない傾斜面を外筒端面に有する第２の鉄心で、６４ａはその外筒、６４ｂはその内筒である。
第１の鉄心６２の内筒端面と第２の鉄心６４の内筒端面との間の空隙の距離は内筒の直径より大きい寸法としてある。即ち、第１の鉄心６２の外筒側端面と内筒側端面の両者が互いに、あるいはまた、第２の鉄心６４の外筒側端面と内筒側端面の両者が互いに、その位置が軸方向にずれており、かつ、内筒側端面がコイル巻回部分（コイルの中央付近）に位置している。
可動鉄心６６の内筒側の円筒状部分６６Ｙも、これに応じてコイル巻回部分に挿入されている。
このように内筒に対向する円筒状部分６６Ｙを有する可動鉄心６６を持つ場合、弁軸５ａが傾いても内側の力が外側に比べて強いので、弁軸５ａの動きはスムースである。また、弁軸５ａの傾きそのものも可動鉄心６６の円筒状部分６６Ｙによってある程度規制され、傾きが減るという効果が得られる。
【００３４】
以上の説明に於いて、実施の形態／関連技術説明ともに、可動鉄心の上、下両側に電磁石を備えるものを例として説明した。しかし、スプリングの強度をあまり高くする必要がない低圧力のポンプ用として用いる場合、例えば電磁石を上側のみとし、コイルに電流を給電していないときには保持手段（スプリング）によって可動鉄心を上側の鉄心の端部から所定距離の位置にとどまるようにすることでもよい。
【００３５】
【発明の効果】
以上のようにこの発明の弁の電磁駆動装置は、円板状の可動鉄心に設けた突起の傾斜面に所定の距離をあけて対向するとともに、この傾斜面の傾斜角と異なる傾斜角の傾斜面を有する一対の電磁石を設けたので、弁軸に傾きがあっても、この傾きを助長する力が弁軸に働かず、動きがスムースであるという効果が得られる。
【００３６】
また、可動鉄心の傾斜面の角度と、コイル鉄心の傾斜面の傾斜角とを異なる値となるように調整し、外側に開く空隙を備えるようにしたので、弁軸に傾きがあっても、傾きを助長する力が弁軸に働かず、動きがスムースであるという効果が得られる。
【図面の簡単な説明】
【図１】  この発明の関連技術１の弁の電磁駆動装置の断面図である。
【図２】  図１のものの特性図である。
【図３】  この発明の関連技術２の弁の電磁駆動装置の断面図である。
【図４】  関連技術３による弁の電磁駆動装置の断面図である。
【図５】  この発明の実施の形態１の弁の電磁駆動装置の部分断面図である。
【図６】  関連技術４の弁の電磁駆動装置の部分断面図である。
【図７】  従来の弁の電磁駆動装置の部分断面図である。
【図８】  図７のものの動作を説明するための図である。
【図９】  従来の構造の問題点を説明するための図である。
【符号の説明】
１  第１のコイル、  ２  第１の鉄心、  ３  第２のコイル、
４  第２の鉄心、  ５  開閉弁、    ６  円板状の可動鉄心、
７  第１スプリング、  ８  第２スプリング、    ９  シリンダヘッド
１２、３２、４２、５２、６２    第１の鉄心、
１２ａ、３２ａ、４２ａ、５２ａ  ６２ａ  第１の外筒、
１２ｂ、３２ｂ、４２ｂ、５２ｂ  ６２ｂ  第１の内筒、
１４、３４、４４、５４、６４    第２の鉄心、
１４ａ、３４ａ、４４ａ、５４ａ、６４ａ  第２の外筒、
１４ｂ、３４ｂ、４４ｂ、５４ｂ、６４ｂ  第２の内筒、
１６、３６、４６、５６、６６  円板状の可動鉄心、
１６ａ、３６ａ、４６ａ、５６ａ、６６ａ  傾斜した面、
１６Ｘ、３６Ｘ、４６Ｘ、５６Ｘ、６６Ｘ  突起、
６６Ｙ  可動鉄心の円筒状部分、
１１２  第１の電磁石、    １１４  第２の電磁石。
【図１】
0003947339.tif 000002
【図２】
0003947339.tif 000003
【図３】
0003947339.tif 000004
【図４】
0003947339.tif 000005
【図５】
0003947339.tif 000006
【図６】
0003947339.tif 000007
【図７】
0003947339.tif 000008
【図８】
0003947339.tif 000009
【図９】
0003947339.tif 000010